(57)【特許請求の範囲】
【請求項１】
人感センサーと、その人感センサーによって開閉されるバルブとを備え、人感センサーが人体を感知することにより、前記バルブが開放されて吐水されるように制御する制御手段を設けた水栓において、
前記人感センサーは第１センサー及び第２センサーにより構成され、
前記制御手段は、前記第１センサーが人体を感知したとき、表示部を表示動作させるとともに、その表示動作から時間をおいて前記バルブを開放動作させ、前記第２センサーが人体を検知したとき、前記表示部を表示動作させることなく前記バルブを開放動作させることを特徴とする水栓。
【請求項２】
前記制御手段は、第１センサーのオンによりバルブを開放するとともに、第１センサーのオフによりバルブを閉鎖し、第２センサーのオンによりバルブを開放するとともに、第２センサーの再度のオンによりバルブを閉鎖することを特徴とする請求項１に記載の水栓。
【請求項３】
人感センサーと、その人感センサーによって開閉されるバルブとを備え、人感センサーが人体を感知することにより、前記バルブが開放されて吐水されるように制御する制御手段を設けた水栓において、
表示部を設け、前記制御手段は、人感センサーが人体を感知したとき、前記表示部を表示動作させるとともに、その表示動作から時間をおいて前記バルブを開放動作させ、
前記人感センサーは第１センサー及び第２センサーにより構成され、
前記制御手段は、第１センサーのオンによりバルブを開放するとともに、第１センサーのオフによりバルブを閉鎖し、第２センサーのオンによりバルブを開放するとともに、第２センサーの再度のオンによりバルブを閉鎖し、
前記第１センサー及び第２センサーにそれぞれ対応したバルブを有する並列水路を設け、第１センサーのバルブの水路には吐水温度が所定温度を越えるときに閉鎖される常開型の補助バルブを接続したことを特徴とする水栓。
【請求項４】
前記第１センサーを水栓先端部の下面側に設け、吐水流路の一部には温度センサーを設け、前記制御手段は温度センサーが所定値以上の吐水温度を感知したとき、バルブを閉鎖させることを特徴とする請求項１に記載の水栓。
【発明の詳細な説明】
【技術分野】
【０００１】
この発明は、例えばキッチンや洗面所のデッキ等に取り付けられて使用される水栓に係り、特に人感センサーの感知動作により吐水されるように構成された水栓に関するものである。
【背景技術】
【０００２】
従来、この種の水栓としては、例えば特許文献１に開示されるような構成が提案されている。
特許文献１に記載の従来構成においては、吐水管に設けられた人感センサーが人体を感知したとき、水栓本体内に設けられた電磁バルブが開放されて、吐水管から湯や水が吐出される。また、人感センサーが人体を再び感知したとき、電磁バルブが閉鎖されて、湯や水の吐出が止められるようになっている。
【先行技術文献】
【特許文献】
【０００３】
【特許文献１】特開２００４−３１６３６０号公報
【発明の概要】
【発明が解決しようとする課題】
【０００４】
ところが、この従来構成の水栓においては、人感センサーにより人体が感知されたとき、電磁バルブが直ちに開放されて吐水されるようになっている。このため、キッチンにおける食器の洗浄作業等において、誤って人体の一部が人感センサーの感知領域に進入した場合、不意に吐水管から湯や水が吐出されて、衣服を濡らすおそれがあった。また、水栓が高温の吐出状態に調節設定されている場合には、不意に吐水管から高温の湯が吐出されて、火傷をするおそれもあった。
【０００５】
この発明は、このような従来の技術に存在する問題点に着目してなされたものである。その目的は、人感センサーの感知状態を吐水前に認識することができて、不意の吐水により衣服を濡らしたり、火傷をしたりするおそれを防止することができる水栓を提供することにある。
【課題を解決するための手段】
【０００６】
上記の目的を達成するために、この発明は、人感センサーと、その人感センサーによって開閉されるバルブとを備え、人感センサーが人体を感知することにより、前記バルブが開放されて吐水されるように制御する制御手段を設けた水栓において、前記人感センサーは第１センサー及び第２センサーにより構成され、前記制御手段は、前記第１センサーが人体を感知したとき、表示部を表示動作させるとともに、その表示動作から時間をおいて前記バルブを開放動作させ、前記第２センサーが人体を検知したとき、前記表示部を表示動作させることなく前記バルブを開放動作させることを特徴としている。
【０００７】
従って、この発明の水栓においては、第１センサーにより人体が感知されると、表示部が表示動作される。そして、その表示動作から時間をおいてバルブが開放動作される。このため、第１センサーの感知状態を、表示部の表示動作によって吐水前に認識することができる。よって、誤って人体の一部が第１センサーの感知領域に進入した場合でも、不意の吐水により衣服を濡らしたり、火傷をしたりするおそれを防止することができる。
【０００８】
前記の構成において、前記制御手段は、第１センサーのオンによりバルブを開放するとともに、第１センサーのオフによりバルブを閉鎖し、第２センサーのオンによりバルブを開放するとともに、第２センサーの再度のオンによりバルブを閉鎖するように構成するとよい。
【０００９】
上記の目的を達成するために、この発明は、人感センサーと、その人感センサーによって開閉されるバルブとを備え、人感センサーが人体を感知することにより、前記バルブが開放されて吐水されるように制御する制御手段を設けた水栓において、表示部を設け、前記制御手段は、人感センサーが人体を感知したとき、前記表示部を表示動作させるとともに、その表示動作から時間をおいて前記バルブを開放動作させ、前記人感センサーは第１センサー及び第２センサーにより構成され、前記制御手段は、第１センサーのオンによりバルブを開放するとともに、第１センサーのオフによりバルブを閉鎖し、第２センサーのオンによりバルブを開放するとともに、第２センサーの再度のオンによりバルブを閉鎖し、前記第１センサー及び第２センサーにそれぞれ対応したバルブを有する並列水路を設け、第１センサーのバルブの水路には吐水温度が所定温度を越えるときに閉鎖される常開型の補助バルブを接続したことを特徴としている。
【００１０】
前記の構成において、前記第１センサーを水栓先端部の下面側に設け、吐水流路の一部には温度センサーを設け、前記制御手段は温度センサーが所定値以上の吐水温度を感知したとき、バルブを閉鎖させるように構成するとよい。
【発明の効果】
【００１１】
以上のように、この発明によれば、人感センサーの感知状態を吐水前に認識することができて、不意の吐水により衣服を濡らしたり、火傷をしたりするおそれを防止することができるという効果を発揮する。
【図面の簡単な説明】
【００１２】
【図１】第１実施形態の水栓を示す正面図。
【図２】図１の水栓の平面図。
【図３】同水栓の側面図。
【図４】同水栓の制御構成を示す構成図。
【図５】第２実施形態の水栓の制御構成を示す構成図。
【図６】第３実施形態の水栓の制御構成を示す構成図。
【発明を実施するための形態】
【００１３】
（第１実施形態）
以下に、この発明を具体化した水栓の第１実施形態を、図１〜図４に従って説明する。
図１〜図４に示すように、キッチンにおける流し台等のデッキ１１には、水栓本体１２が固定されている。水栓本体１２の上部にはほぼ逆Ｕ字状に形成された筒状の吐水管１３が水平に首振り回動可能に支持され、その吐水管１３の先端部には吐水口１３ａが設けられている。水栓本体１２の内部には、給湯路１４からの湯と給水路１５からの水とをそれぞれ単独で、あるいは給湯路１４からの湯と給水路１５からの水とを混合して、その湯，水あるいは混合水を吐水管１３の吐水口１３ａに連通する吐水流路１６に吐出させるための湯水混合バルブ１７が配設されている。水栓本体１２の側部には、湯水混合バルブ１７の動作を調節するための操作レバー１８が取り付けられている。そして、この操作レバー１８が図２及び図３に示す矢印Ｐ１方向に回動操作されたときには、湯水混合バルブ１７による湯と水との混合度合が調節される。また、操作レバー１８が図１及び図２に示す矢印Ｐ２方向に傾動操作されたときには、湯水混合バルブ１７による湯，水あるいは混合水の吐出量が調節される。
【００１４】
図１〜図４に示すように、前記吐水管１３の先端部には、人感センサー１９が設けられている。この人感センサー１９は、吐水管１３の先端部の下面に配設された第１センサー１９Ａと、吐水管１３の先端部の左右両側に配設された一対の第２センサー１９Ｂとより構成されている。第１センサー１９Ａ及び第２センサー１９Ｂは、例えば赤外線等を利用した光電反射型センサーから構成され、それぞれ発光器及び受光器を備えている。そして、図１〜図３に示すように、第１センサー１９Ａから下方に指向する感知領域１９ａ、または第２センサー１９Ｂから両側方に指向する感知領域１９ｂに手をかざしたとき、それらのセンサー１９Ａ，１９Ｂがオンされて、後述する制御装置２１に人体の感知信号が出力される。
【００１５】
図４に示すように、前記水栓本体１２内において吐水流路１６には、並列水路１６ａ，１６ｂが設けられている。吐水流路１６の並列水路１６ａ，１６ｂには、第１センサー１９Ａ及び第２センサー１９Ｂにそれぞれ対応する第１電磁バルブ２０Ａ及び第２電磁バルブ２０Ｂが接続されている。水栓本体１２内あるいは水栓本体１２外の所定位置には、電磁バルブ２０Ａ，２０Ｂの開閉動作等を制御するための制御手段としての制御装置２１が配設されている。そして、この制御装置２１の制御によって、第１センサー１９Ａのオンのときには第１電磁バルブ２０Ａが開放されるとともに、第１センサー１９Ａのオフのときには第１電磁バルブ２０Ａが閉鎖される。また、第２センサー１９Ｂのオンのときには第２電磁バルブ２０Ｂが開放されるとともに、第２センサー１９Ｂの再度のオンのときには第２電磁バルブ２０Ｂが閉鎖される。
【００１６】
図１〜図４に示すように、前記吐水管１３の先端部の上面には、表示部としての表示ランプ２２が配設されている。そして、人感センサー１９の第１センサー１９Ａがオンされたとき、制御装置２１の制御によって、表示ランプ２２が表示動作されるとともに、その表示動作から時間をおいて第１電磁バルブ２０Ａが開放動作されるようになっている。この実施形態では、第１センサー１９Ａのオンから０．４秒後に表示ランプ２２が表示動作されるとともに、その表示動作の１秒後に第１電磁バルブ２０Ａが開放動作されて、吐水管１３の吐水口１３ａから湯や水が吐出されるようになっている。
【００１７】
図４に示すように、前記第１センサー１９Ａと対応する第１電磁バルブ２０Ａ側の並列水路１６ａには、吐水温度が所定温度を越えるときに閉鎖される常開型の補助バルブ２３が接続されている。そして、第１センサー１９Ａのオンにより第１電磁バルブ２０Ａが開放動作された場合において、並列水路１６ａの吐水温度が所定温度を越えるとき、補助バルブ２３が閉鎖されて、吐水管１３の吐水口１３ａからの湯の吐出が止められるようになっている。
【００１８】
次に、前記のように構成された水栓の作用を説明する。
この水栓を利用して、食器洗いや手洗い等を行う場合には、吐水管１３の先端部の下面に設けられた第１センサー１９Ａの感知領域１９ａに手をかざすと、その第１センサー１９Ａがオンされて、制御装置２１に人体の感知信号が出力される。すると、制御装置２１の制御により、表示ランプ２２が点灯表示されて、第１センサー１９Ａの感知状態が報知される。そして、この表示ランプ２２の表示動作から所定時間（１秒間）をおいて、第１電磁バルブ２０Ａが開放動作され、吐水管１３の吐水口１３ａから湯や水が吐出されて、食器洗いや手洗等を行うことができる。その食器洗い等の後に、第１センサー１９Ａの感知領域１９ａから手を離間させると、第１センサー１９Ａがオフされて、第１電磁バルブ２０Ａが閉鎖され、吐水口１３ａからの湯や水の吐出が止められる。
【００１９】
このように、第１センサー１９Ａの人体感知時には、表示ランプ２２が表示されるとともに、その表示後に時間をおいて吐水が行われるため、誤って人体の一部が第１センサー１９Ａの感知領域１９ａに進入した場合でも、不意の吐水により衣服を濡らすおそれはない。また、この第１センサー１９Ａの人体感知にともなう吐水時において、吐水温度が所定温度を越える場合には、補助バルブ２３が閉鎖されて、吐水口１３ａからの湯の吐出が止められる。よって、高温の湯が吐出されることで、火傷をするおそれもない。
【００２０】
一方、水栓により鍋等に湯や水を満たす場合には、吐水管１３の先端部の左右両側に設けられた一対の第２センサー１９Ｂのうちの、いずれか一方の第２センサー１９Ｂの感知領域１９ｂに手をかざすと、その第２センサー１９Ｂがオンされて、制御装置２１に人体の感知信号が出力される。すると、制御装置２１の制御により、第２電磁バルブ２０Ｂが開放動作され、吐水管１３の吐水口１３ａから湯や水が吐出される。この第２センサー１９Ｂの人体感知時には、吐水管１３の吐水口１３ａ付近に人体が位置していないため、誤って人体の一部が第２センサー１９Ｂの感知領域１９ｂに進入した場合でも、衣服を濡らしたり火傷をしたりするおそれはない。そして、鍋等に所定量の湯や水を満たされた後に、第２センサー１９Ｂの感知領域１９ｂに再度手をかざすと、第２センサー１９Ｂが再びオンされて、第２電磁バルブ２０Ｂが閉鎖され、吐水口１３ａからの湯や水の吐出が止められる。
【００２１】
従って、この実施形態によれば、以下のような効果を得ることができる。
（１）  この水栓においては、人感センサー１９により人体が感知されたとき、制御装置２１の制御により、表示ランプ２２が表示動作されるとともに、その表示動作から時間をおいて電磁バルブ２０Ａが開放動作されて、吐水されるようになっている。このため、人感センサー１９の感知状態を、表示ランプ２２の表示動作によって吐水前に認識することができる。よって、キッチンにおける食器の洗浄作業等において、誤って人体の一部が人感センサー１９の感知領域に進入した場合でも、不意の吐水により衣服を濡らしたり、火傷をしたりするおそれを防止することができる。
【００２２】
（２）  この水栓においては、前記人感センサー１９が第１センサー１９Ａ及び第２センサー１９Ｂにより構成されている。そして、前記制御装置２１により、第１センサー１９Ａのオンのときに電磁バルブ２０Ａが開放されるとともに、第１センサー１９Ａのオフのときに電磁バルブ２０Ａが閉鎖され、第２センサー１９Ｂのオンのときに電磁バルブ２０Ｂが開放されるとともに、第２センサー１９Ｂの再度のオンのときに電磁バルブ２０Ｂが閉鎖されるように構成されている。
【００２３】
このため、手洗い等を行う場合には、第１センサー１９Ａに手をかざすことにより、その第１センサー１９Ａの感知動作の間だけ湯や水を吐出させることができる。また、鍋等に湯や水を満たす場合には、第２センサー１９Ｂに手をかざした後に再び手をかざすまでの間、所定量の湯や水を継続して吐出させることができる。さらに、第１センサー１９Ａの感知動作時には、その第１センサー１９Ａの感知状態を、表示ランプ２２の表示動作によって吐水前に認識することができて、湯や水が不意に吐出されるのを抑制することができる。
【００２４】
（３）  この水栓においては、前記第１センサー１９Ａ及び第２センサー１９Ｂにそれぞれ対応した電磁バルブ２０Ａ，２０Ｂを有する並列水路１６ａ，１６ｂが設けられ、第１センサー１９Ａの電磁バルブ２０Ａの水路１６ａには吐水温度が所定温度を越えるときに閉鎖される常開型の補助バルブ２３が接続されている。このため、第１センサー１９Ａの感知動作時に、その第１センサー１９Ａの感知状態を、表示ランプ２２の表示動作によって吐水前に認識することができる。それとともに、吐水温度が所定温度を越えるとき、補助バルブ２３が閉鎖されて湯の吐出が止められるため、高温の湯が不意に吐出されることにより、火傷をするおそれを効果的に防止することができる。
【００２５】
（第２実施形態）
次に、この発明を具体化した水栓の第２実施形態を、前記第１実施形態と異なる部分を中心に説明する。
【００２６】
さて、この第２実施形態においては、図５に示すように、人感センサー１９の第１センサー１９Ａのみが吐水管１３の先端部の下面に設けられている。そして、この第１センサー１９Ａと対応する第１電磁バルブ２０Ａが、水栓本体１２内の吐水流路１６に接続されている。吐水流路１６の一部には、吐水温度を感知するための温度センサー２５が設けられている。そして、第１センサー１９Ａの人体感知にともなって、表示ランプ２２が表示動作された後に、時間をおいて第１電磁バルブ２０Ａが開放動作された際に、温度センサー２５により吐水温度が感知される。この温度センサー２５によって感知された吐水温度が所定値以上のときには、制御装置２１の制御により、第１電磁バルブ２０Ａが閉鎖されて、吐水口１３ａからの湯の吐出が止められるようになっている。
【００２７】
従って、この第２実施形態によれば、前記第１実施形態における（１）に記載の効果に加えて、以下のような効果を得ることができる。
（４）  この水栓においては、吐水流路１６の吐水温度が所定温度を越えるとき、吐水流路１６の一部に設けられた温度センサー２５の感知動作により電磁バルブ２０Ａが閉鎖されて、湯の吐出が止められるようになっている。このため、高温の湯が不意に吐出されることにより、火傷をするおそれを効果的に防止することができる。
【００２８】
（第３実施形態）
次に、この発明を具体化した水栓の第３実施形態を、前記第１実施形態と異なる部分を中心に説明する。
【００２９】
さて、この第３実施形態においては、図６に示すように、吐水管１３の先端部に、第１実施形態と同様な第１センサー１９Ａ及び第２センサー１９Ｂよりなる人感センサー１９が設けられている。水栓本体１２内の吐水流路１６には、第１センサー１９Ａ及び第２センサー１９Ｂと対応する共通の第１電磁バルブ２０Ａと補助バルブ２３とが接続されている。そして、第１センサー１９Ａの人体感知時には、表示ランプ２２が表示動作された後に、時間をおいて第１電磁バルブ２０Ａが開放動作され、第２センサー１９Ｂの人体感知時には、表示ランプ２２が表示動作されることなく、第１電磁バルブ２０Ａが開放動作されるようになっている。
【００３０】
従って、この第３実施形態においても、前記第１実施形態における（１）及び（２）に記載の効果とほぼと同様の効果を得ることができる。
（変更例）
なお、この実施形態は、次のように変更して具体化することも可能である。
【００３１】
・  表示部をブザー等の音声表示器により構成すること。
・  第２センサー１９Ｂを１箇所のみに設けること。
・  第１センサー１９Ａや第２センサー１９Ｂの設置位置を他の位置、例えば水栓本体１２上に設けること。
【符号の説明】
【００３２】
１２…水栓本体、１３…吐水管、１３ａ…吐水口、１６…吐水流路、１６ａ，１６ｂ…並列水路、１７…湯水混合バルブ、１９…人感センサー、１９Ａ…第１センサー、１９Ｂ…第２センサー、２０Ａ…第１電磁バルブ、２０Ｂ…第２電磁バルブ、２１…制御手段としての制御装置、２２…表示部としての表示ランプ、２３…補助バルブ、２５…温度センサー。
【図１】
0005764322.tif 000002
【図２】
0005764322.tif 000003
【図３】
0005764322.tif 000004
【図４】
0005764322.tif 000005
【図５】
0005764322.tif 000006
【図６】
0005764322.tif 000007